(57)【要約】【課題】竪樋の設置や交換が容易な優れた施工性と、ヒンジや係止部等が表に露出しない高いデザイン性を有し、経年使用によっても高い把持性能を維持することが可能な竪樋用控え具を提供すること。【解決手段】竪樋４を把持させる把持部材３と、この把持部材を保持した状態で建物の外壁面５に固定される支持固定部材２を備えた竪樋用控え具であって、把持部材が、竪樋の通過を可能とする切離部３２を有する環状に形成され、支持固定部材に、把持部材を摺動自在に保持する通孔７が設けられ、支持固定部材の通孔に把持部材を通した状態で把持部材を回動することにより、把持部材の切離部が支持固定部材内に収納されて竪樋が把持される。【選択図】図１
2016223253.tif 000002
【特許請求の範囲】
【請求項１】
竪樋を把持させる把持部材と、この把持部材を保持した状態で建物の外壁面に固定される支持固定部材を備えた竪樋用控え具であって、
前記把持部材が、前記竪樋の通過を可能とする切離部を有する環状に形成され、
前記支持固定部材に、前記把持部材を摺動自在に保持する通孔が設けられ、
前記支持固定部材の前記通孔に前記把持部材を通した状態で前記把持部材を回動することにより、前記把持部材の前記切離部が前記支持固定部材内に収納されて竪樋が把持されることを特徴とする竪樋用控え具。
【請求項２】
前記把持部材の切離部の端部の一方に、前記通孔に設けられた被係止部と係合する係止部が設けられたことを特徴とする請求項１に記載の竪樋用控え具。
【請求項３】
前記係止部とは他方の切離部の端部に、前記通孔の出口よりも大きい寸法の突起部が設けられたことを特徴とする請求項２に記載の竪樋用控え具。
【請求項４】
前記係止部に、前記係止爪の高さを変位させるための抜き部が形成されたことを特徴とする請求項２又は３に記載の竪樋用控え具。
【発明の詳細な説明】
【技術分野】
【０００１】
本発明は、竪樋用控え具に関する。
【背景技術】
【０００２】
従来より、竪樋を建物の外壁面に沿って支持固定するために竪樋用控え具が用いられている。この竪樋用控え具としては、竪樋を抱持して支持するために、壁面に固定する固定具の前方に設けられた受け環体と、受け環体の一側端に、基端をヒンジにより結合した開閉自在な開閉環体とを備えた構造のものが知られている（例えば、特許文献１を参照）。
【０００３】
この竪樋用控え具によれば、開閉環体の遊端に貫通された係止開口部が形成され、受け環体の他側端に、外側に向けて円弧状に突出し、且つ内側から外側に向けて弾性力を有する弾性係止突部が設けられている。
【０００４】
そしてこの弾性係止突部が係止開口部の内側から係止されて開閉環体の閉鎖状態を維持するように構成されている。
【先行技術文献】
【特許文献】
【０００５】
【特許文献１】特開２００５−２９９２５０号公報
【発明の概要】
【発明が解決しようとする課題】
【０００６】
一方、近年、住宅用の竪樋用控え具に関しては、竪樋の設置や交換が容易な優れた施工性やシンプルなデザイン性、経年使用に対する耐久性等の特性が要求されている。
【０００７】
しかしながら、上記特許文献１の竪樋用控え具によれば、優れた施工性は有するものの、ヒンジや係止開口部及び弾性係止突部等が外部に露出しているため見栄えが劣り、改良の余地があった。
【０００８】
また、開閉環体の係止構造が、単に弾性係止突起を係止開口部の内側から係止するものであるため、経年使用によって外れる畏れがあり、改良が望まれていた。
【０００９】
本発明は、上記従来の問題点に鑑みてなされたものであり、竪樋の設置や交換が容易な優れた施工性と、ヒンジや係止部等が表に露出しない高いデザイン性を有し、経年使用によっても高い把持性能を維持することが可能な竪樋用控え具を提供することを課題とする。
【課題を解決するための手段】
【００１０】
本発明は、上記の課題を解決するために、以下のことを特徴としている。
【００１１】
すなわち、本発明の竪樋用控え具は、竪樋を把持させる把持部材と、この把持部材を保持した状態で建物の外壁面に固定される支持固定部材を備えた竪樋用控え具であって、前記把持部材が、前記竪樋の通過を可能とする切離部を有する環状に形成され、前記支持固定部材に、前記把持部材を摺動自在に保持する通孔が設けられ、前記支持固定部材の前記通孔に前記把持部材を通した状態で前記把持部材を回動することにより、前記把持部材の前記切離部が前記支持固定部材内に収納されて竪樋が把持されることを特徴とする。
【発明の効果】
【００１２】
本発明によれば、竪樋の設置や交換が容易な優れた施工性を有するとともに、ヒンジや係止部等が表に露出しない高いデザイン性を有し、経年使用によっても高い把持性能を維持することが可能な竪樋用控え具を提供することが可能となる。
【図面の簡単な説明】
【００１３】
【図１】本発明の竪樋用控え具の一実施形態の概略斜視図であり、（ａ）は切離部を前面側に出した状態を示し、（ｂ）は切離部を支持固定部材内に収納した状態を示している。
【図２】本発明の竪樋用控え具の一実施形態の平面概略断面図であり、（ａ）は切離部を前面側に出した状態を示し、（ｂ）は切離部を支持固定部材内に収納した状態を示している。
【図３】切離部の端部に設けた突起部と通孔入口の部分拡大斜視図である。
【発明を実施するための形態】
【００１４】
以下、発明を実施するための形態を示し、本発明の竪樋用控え具をさらに詳細に説明する。
【００１５】
本実施形態の竪樋用控え具は、竪樋を把持させる把持部材と、この把持部材を保持した状態で建物の外壁面に固定される支持固定部材を備えた竪樋用控え具である。また、把持部材は、竪樋の通過を可能とする切離部を有する環状に形成され、支持固定部材に、把持部材を摺動自在に保持する通孔が設けられている。そして、支持固定部材の通孔に把持部材を通した状態で把持部材を回動することにより、把持部材の前記切離部が前記支持固定部材内に収納されるものである。
【００１６】
図１（ａ）（ｂ）に本発明の竪樋用控え具の一実施形態の概略斜視図を示す。図１（ａ）は切離部を前面側に出した状態を示し、図１（ｂ）は切離部を支持固定部材内に収納した状態を示している。
【００１７】
また、図２（ａ）（ｂ）に平面概略断面図を示す。図２（ａ）は切離部を前面側に出した状態を示し、図２（ｂ）は切離部を支持固定部材内に収納した状態を示している。
【００１８】
本実施形態の竪樋用控え具１は、建物の外壁面５に沿って竪樋４を支持固定するために用いられるものであり、少なくとも、支持固定部材２と把持部材３を備えている。
【００１９】
支持固定部材２は、把持部材３を摺動自在に保持した状態で建物の外壁面５に固定するための部材であり、後面部２１に、図２（ａ）（ｂ）のように、ねじ６１等により建物の外壁面５に支持固定部材２を固定するためのねじ留め孔６が設けられている。また、前面部２２には、把持部材３を摺動自在に支持するための通孔７が設けられており、通孔７は把持部材３の環状体の曲面に沿った曲率で穿孔され、把持部材３をスムーズに回動できるようになっている。
【００２０】
なお、通孔７の形状は、把持部材３を摺動自在に支持できる形状であれば特に制限はなく、例えば、図２（ａ）、（ｂ）に示すように連続したトンネル状の通孔７に形成することができる。また、支持固定部材２の内部を中空構造として、通孔７の入口７１と出口７２のみを通孔７として形成されたものであってもよい。
【００２１】
把持部材３は、竪樋４を把持する部材であり、一部が切離された切離部３２が設けられた環状体３１からなり、この切離部３２により環状体３１内への竪樋４の通過を可能としている。
【００２２】
把持部材３の環状体３１は、弾力性を有する材質の部材で形成されている。このような材質としては、弾性を有するものであれば特に制限はないが、例えば、弾性を有する樹脂や金属等を挙げることができる。また、硬質な部材を用いた場合であっても、一部が弾性を有し、環状体３１内に竪樋４を通過できるものであればよい。
【００２３】
把持部材３は、上記支持固定部材２の前面部２２に設けられた通孔７に、摺動自在に回動するように予め通された状態となっている。このような構成とすることにより、竪樋４を環状体３１の内側にセットした状態で図１（ａ）に示す矢印方向に把持部材３を回転させることにより、切離部３２が支持固定部材２の内部に収納され、ヒンジ等が外部に露出しない状態で竪樋４を把持させることができる。
【００２４】
また、本実施形態においては、把持部材３の切離部３２の端部の一方に、通孔７に設けられた被係止部７３と係合する係止部８を設けるのが好ましい。
【００２５】
係止部８は、切離部３２における環状体３１の一端に、切離部３２に向けて突出した係止爪８１を備えている。また、支持固定部材２の通孔７内には被係止部７３が設けられており、係止爪８１が被係止部７３に係合するようになっている。また係止部８には、係止爪８１の基部に、係止爪８１を被係止部７３と係合しやすくガイドするための係合ガイド片８２が設けられている。
【００２６】
上記のような構成の係止部８及び被係止部７３による係合は、まず、係合ガイド片８２を持って把持部材３を通孔７の入口７１方向に回動させて、係止部８の係止爪８１の先端を支持固定部材２の通孔７の入口７１に挿入させる。そして、この状態からさらに係合ガイド片８２を押して回動させると、係止爪８１は通孔７の入口７１を乗り越えて被係止部７３と係合する。これにより、支持固定部材２内に切離部３２を収納した状態で把持部材３の抜けを防止することができる。
【００２７】
また、本実施形態においては、通孔７の入口７１外側に係合ガイド片８２が収まる形状の段差部２３を設けることができる。これにより、係止部８が被係止部７３と係合した状態において、係合ガイド片８２が段差部２３内に収まり、支持固定部材２の外面と係合ガイド片８２が面一とすることができ、よりデザイン性に優れた竪樋用控え具１とすることができる。
【００２８】
また、係止部８においては、被係止部７３との係合、着脱を容易にするために係止爪８１の高さを変位させるための抜き部８３が形成されていることが好ましい。
【００２９】
具体的には、係止部８の先端に設けられた係止爪８１の内側に係止爪８１の高さを変化させることができるように抜き部８３を形成する。抜き部８３の寸法や位置は、係止爪８１の高さを変化させられれば特に制限はないが、例えば、係止爪８１が内側に押されて付け根部分に負荷がかかった状態において係止部８が破損しない程度の強度を有する寸法や位置が考慮される。
【００３０】
このように、係止爪８１の内側に弾性変形するように抜き部８３を形成することにより、係止爪８１の高さを容易に変化させることができるため、通孔７の入口７１を乗り越えやすくなり、被係止部７３と係合させやすくすることができる。
【００３１】
また、係止部８と被係止部７３が係合した状態から、押し込みガイド片を係止爪８１の高さが低くなる方向に押すことにより、係止部８を被係止部７３から外すことができる。また、その状態で把持部材３を戻す方向に回動させることにより切離部３２を表出させることができる。これにより、一度設置した竪樋４の交換やメンテナンス等を容易に行うことが可能となる。
【００３２】
さらに、本実施形態においては、係止部８とは他方の切離部３２の端部に、通孔７の出口７２よりも大きい寸法の突起部９を設けるのが好ましい。
【００３３】
図３に切離部３２の端部に設けた突起部９と通孔７の入口７１の部分拡大斜視図を示す。この実施形態では、切離部３２における環状体３１の一方の端部に設けた突起部９は環状体３１の幅に対して上下に突出した形状に形成されている。そして、支持固定部材２に設けられた通孔７の入口７１の形状は突起部９が通過可能な寸法の形状となっているのに対し、通孔７の出口７２の寸法は、突起部９が通過できない形状となっている。上記のような形状の突起部９を設けることにより、突起部９は通孔７の出口７２手前で引っ掛り、支持固定部材２からの切離部３２の抜けをさらに確実に防止することができる。
【００３４】
本実施形態によれば、上記の構成とすることにより、竪樋４の設置や交換が容易な優れた施工性を有するとともに、ヒンジや係止部等が表に露出しない高いデザイン性を有するものとすることができる。また、把持部材３が回動する方向に力を受けたとしても、係止部８が被係止部７３と係合していることから、係合状態が解除されにくいものとすることができ、経年使用によっても高い把持性能を維持することが可能となる。
【００３５】
竪樋用控え具１による竪樋４の設置は、以下のように施工することができる。
【００３６】
まず、外壁面５の所定の位置に、竪樋用控え具１を配置して、ねじ６１等により支持固定部材２を外壁面５に固定する。次いで把持部材３の切離部３２を前方に位置させた状態で、把持部材３の切離部３２の前方に竪樋４を配置し、切離部３２を外方に広げながら竪樋４を環状体３１内に通過させ、竪樋４を把持部材３の内側に配置させる。
【００３７】
そして、把持部材３の係止部８を支持固定部材２の通孔７の入口７１方向に回動させ、係止部８を支持固定部材２の通孔７内の被係止部７３に係合させる。これにより、確実に竪樋４を把持させることができる。
【００３８】
以上、本発明の竪樋用控え具を実施形態に基づいて説明したが、本発明の竪樋用控え具は上記の実施形態に限定されるものではなく、その要旨を逸脱しない範囲内において種々の変更が可能である。
【００３９】
例えば、前記実施形態では、係止部８とは他方の切離部３２の端部に設ける突起部９の形状を上下に突出した形状としたが、例えば、外側方向に直角に突出した突起部９の形状とすることもできる。
【符号の説明】
【００４０】
１  竪樋用控え具
２  支持固定部材
３  把持部材
４  竪樋
５  外壁面
７  通孔
７３  被係止部
８  係止部
８３  抜き部
９  突起部
【図１】
2016223253.tif 000003
【図２】
2016223253.tif 000004
【図３】
2016223253.tif 000005